(57)【要約】【課題】手摺り部を使用者の具体的体型に応じた使い良い位置に位置させることができ、しかも、取付け側への取付けの施工も容易に行うことができる手摺り具を提供する。【解決手段】トイレ２の便器３の脇の壁面４等に取り付けられる取付け板５と、該取付け板５に使用位置変更可能に設けられた手摺り部６と、該手摺り部６を、選択された使用位置においてロック状態にするロック機構と、ロックを解除するロック解除機構とが備えられている。【選択図】      図１
2007131999.tif 000002
【特許請求の範囲】
【請求項１】
取付け側に取り付けられる取付け部と、該取付け部に使用位置変更可能に設けられた手摺り部と、該手摺り部を、選択された使用位置においてロック状態にするロック機構と、ロックを解除するロック解除機構とが備えられていることを特徴とする手摺り具。
【請求項２】
取付け側が壁面で、手摺り部が縦手摺り部と横手摺り部のいずれか一方又は両方を備えたものからなり、該手摺り部が壁面と直交する軸線回りで回転変位可能に設けられ、該手摺り部を回転変位させることにより手摺り部の使用位置を前後方向に変更することができるようになされている請求項１に記載の手摺り部。
【発明の詳細な説明】
【技術分野】
【０００１】
本発明は、トイレ等に用いられる手摺り具に関する。
【背景技術】
【０００２】
例えば、トイレに手摺りを取り付ける場合、その取付け位置は、便器との位置関係や使用者の一般的体型に基づいて決められるが、使用者の体型は個々に相違しており、そのため、使用者の具体的体型に基づいて手摺りの位置を決めようとすると、壁等の取付け側への取付け位置の決定が容易ではなく、取付けの施工が非常に厄介なものになってしまうという問題がある。
【発明の開示】
【発明が解決しようとする課題】
【０００３】
本発明は、上記のような問題点に鑑み、手摺り部を使用者の具体的体型に応じた使い良い位置に位置させることができ、しかも、取付け側への取付けの施工も容易に行うことができる手摺り具を提供することを課題とする。
【課題を解決するための手段】
【０００４】
上記の課題は、取付け側に取り付けられる取付け部と、該取付け部に使用位置変更可能に設けられた手摺り部と、該手摺り部を、選択された使用位置においてロック状態にするロック機構と、ロックを解除するロック解除機構とが備えられていることを特徴とする手摺り具によって解決される。
【０００５】
この手摺り具では、手摺り部が、取付け部に使用位置変更可能に設けられているので、取付け部を取付け側に取り付けた状態で、手摺り部の位置を変更することにより、手摺り部を使用者の具体的体型に応じた使い良い位置に位置させることができる。しかも、取付け側に取り付けた状態で手摺り部の使用位置を変更することができるようになされているので、取付け側への取付けに際して、取付け位置を使用者の具体的体型に基づいて決める必要がなく、取付けの施工を容易に行うことができる。
【０００６】
上記の手摺り具において、取付け側が壁面で、手摺り部が縦手摺り部と横手摺り部のいずれか一方又は両方を備えたものからなり、該手摺り部が壁面と直交する軸線回りで回転変位可能に設けられ、該手摺り部を回転変位させることにより手摺り部の使用位置を前後方向に変更することができるようになされているとよい。
【０００７】
この場合は、手摺り部の使用位置を前後方向に移動させるのに、手摺り部を壁面と直交する軸線回りで回転変位可能に設けたものであるので、手摺り部の使用位置を前後方向に移動させることができるものでありながら、取付け部の前後方向の寸法を小さくすることができて取付け部を壁面にコンパクトに取り付けることができる。
【発明の効果】
【０００８】
本発明は、以上のとおりのものであるから、手摺り部を使用者の具体的体型に応じた使い良い位置に位置させることができ、しかも、取付け側への取付けの施工も容易に行うことができる。
【発明を実施するための最良の形態】
【０００９】
次に、本発明の実施最良形態を図面に基づいて説明する。
【００１０】
図１（イ）（ロ）に示す実施形態の手摺り具１は、トイレ２の便器３の脇の壁面４を取付け側とし、該壁面４に取り付けられて用いられるもので、５は取付け部としての取付け板、６は手摺り部である。
【００１１】
取付け板５は、壁面４に沿わされるように配置されて、ビス等により壁面４に固着状態に取り付ることができるようになされたものであり、手摺り部６は、取付け板５から直交する方向に突出して自軸回りでの回転ができるようになされた軸部６ｃと、軸部６ｃの先端から上方に立ち上げられた縦手摺り部６ａと、縦手摺り部６ａの上端から壁面４の側に水平に延ばされて先端フリーの横手摺り部６ｂとを一体的に備えたものからなっていて、軸部６ｃが自軸回りで回転変位をすることで、縦横の手摺り部６ａ，６ｂの使用位置を前後方向に変更することができるようになされている。
【００１２】
そして、この手摺り具１には、図示しないロック機構が備えられ、縦横の手摺り部６ａ，６ｂを前後方向の好みの使用位置に無段階選択方式であるいは段階的選択方式で位置させ、該ロック機構により、その位置にロック状態にすることができるようになされている。ロック機構としては、例えば、縦横の手摺り部６ａ，６ｂの、便器３から離れる前方及び近づく後方の両方向への移動を阻止するロック機構が採用されてもよいし、便器３から離れる前方への移動は許容し、近づく後方への移動は阻止する一方向クラッチ機構などが採用されてよい。
【００１３】
また、図示しないが、ロック解除機構が備えられ、軸部６ｃの先端部には、ロック解除用操作部７が設けられていて、該操作部７を押す、あるいは、引く、あるいは、回す等の操作を行うことにより、ロック機構によるロックが解除され、縦横の手摺り部６の使用位置を前後方向に変更することができるようになされている。
【００１４】
上記の手摺り具１は、図１（ロ）に示すように、その取付け板５をトイレ２の便器３の脇の壁面４に沿わせるように配置し、ビス等により壁面４に取り付けられて用いられる。
【００１５】
上記の手摺り具１は、縦横の手摺り部６ａ，６ｂが、取付け板５に対して使用位置変更可能に設けられているので、取付け板５を壁面４に取り付けた状態で、縦横の手摺り部６ａ，６ｂの位置を前後方向に変更することにより、これら手摺り部６ａ，６ｂを使用者の具体的体型に応じた使い良い使用位置に位置させることができる。そして、このように、縦横の手摺り部６ａ，６ｂの使用位置を変更することができるようになされていることで、取付け側である壁面４への取付け板５の取付けに際して、その取付け位置を使用者の具体的体型に基づいて決める必要がなくなり、手摺り具１の取付けの施工を容易に行うことができる。
【００１６】
また、本実施形態では、縦横の手摺り部６ａ，６ｂの使用位置を前後方向に変更させるのに、手摺り部６の軸部６ｃを壁面４と直交する軸線回りで回転変位可能にした構造を採用しているので、縦横の手摺り部６ａ，６ｂの使用位置を前後方向に変更することができるものでありながら、取付け板５の前後方向の寸法を小さくすることができて、取付け板５を壁面４にコンパクトに取り付けることができる。
【００１７】
以上に、本発明の実施形態を示したが、本発明はこれに限られるものではなく、発明思想を逸脱しない範囲で各種の変更が可能である。例えば、上記の実施形態では、手摺り具１に、縦横の両手摺り部６ａ，６ｂが備えられている場合を示したが、縦手摺り部だけが備えられたものであってもよいし、横手摺り部だけが備えられたものであってもよいし、縦横に限らず種々の方向に向けられた手摺り部が備えられたものであってよい。
【００１８】
また、上記の実施形態では、手摺り部６は、使用位置の変更のために、回転によって前後方向の位置変更をするようになされているが、スライドによって前後方向の位置変更をするようになされていてもよいし、前後方向に限らず、左右方向の位置変更をするようになされていてもよいし、上下方向の位置変更をするようになされていてもよく、要は、取付け板に対する相対的な動きによって手摺り部の使用位置を変更できるようになされたものであればよい。
【００１９】
また、手摺り具における取付け部は、上記のような取付け板５に限らず、壁に取り付けられる棚を取付け部とし、該棚に対して手摺り部が使用位置を変更できるように移動可能に設けられたものであってもよい。
【００２０】
また、取付け部の取り付けられる取付け側は、壁に限らず、床であってもよいし、天井であってもよい。また、本発明の手摺り具は、トイレに限らず、浴室等の身体の支えが必要となる各所において用いることができるものである。
【図面の簡単な説明】
【００２１】
【図１】図（イ）は実施形態の手摺り具を示す斜視図、図（ロ）は同手摺り具のトイレにおける取付け状態と使用方法を示す正面図である。
【符号の説明】
【００２２】
１…手摺り具
４…壁面（取付け側）
５…取付け板（取付け部）
６…手摺り部
６ａ…縦手摺り部
６ｂ…横手摺り部
【図１】
2007131999.tif 000003